(57)【要約】【課題】  現場の状況や、需要者の使い勝手に応じてシャワー用の水栓ユニットと蛇口用の水栓ユニットの位置を入れ替えて取付け金具に並設して取付けることができる。【解決手段】  取付け金具７に蛇口用の水栓ユニット６ａとシャワー用の水栓ユニット６ｂとを並設して取付ける。並設する２つの水栓ユニット６ａ、６ｂの位置を入れ替え自在とする。【選択図】        図１
2010007292.tif 000002
【特許請求の範囲】
【請求項１】
取付け金具に蛇口用の水栓ユニットとシャワー用の水栓ユニットとを並設して取付け、並設する２つの水栓ユニットの位置を入れ替え自在として成ることを特徴とする水栓装置。
【請求項２】
前記取付け金具に蛇口用の水栓ユニットとシャワー用の水栓ユニットとを並設すると共に、更に取付け金具に、並設した２つの水栓ユニットの端部に並設するように湯温調整ユニットを取付けて成ることを特徴とする請求項１記載の水栓装置。
【請求項３】
前記取付け金具に水供給用接続部と湯供給用接続部と湯温調整ユニット取付け部と２つの水栓ユニット取付け部とを設け、湯温調整ユニットに被取付け部を設けると共に、湯温調整ユニットの湯温調整装置よりも上流側に水流入用接続部と湯流入用接続部とを設け、且つ湯温調整装置よりも下流側に混合された湯水の出口部を設け、該出口部に一端部を着脱自在に接続する接続管の下流側を分岐して２つの接続部を設け、蛇口用の水栓ユニットに入口部と蛇口用の吐水部と被取付け部を設け、シャワー用の水栓ユニットに入口部とシャワー用の吐水部と被取付け部を設け、取付け金具の水供給用接続部と湯供給用接続部とにそれぞれ湯温調整ユニットの水流入用接続部と湯流入用接続部とを接続すると共に、湯温調整ユニット取付け部に湯温調整ユニットの被取付け部を取付け、上記２つの水栓ユニット取付け部にそれぞれ蛇口用の水栓ユニットの被取付け部とシャワー用の水栓ユニットの被取付け部とを取付け位置を入れ替え自在に取付け、上記接続管の下流側に設けた２つの接続部に、上記蛇口用の水栓ユニットの入口部とシャワー用の水栓ユニットの入口部とを入れ替え自在に接続して成ることを特徴とする請求項２記載の水栓装置。
【発明の詳細な説明】
【技術分野】
【０００１】
本発明は、水栓装置に関するものである。
【背景技術】
【０００２】
従来から、水栓装置として例えば、特許文献１が知られている。
【０００３】
特許文献１に示された従来例は、蛇口用吐水部とシャワー用吐水部とを備えた混合水栓本体の一側端に開口する孔の一側部に、側方から温調モジュールを内装し、混合水栓本体の前面側に上記孔に連通する２つの開閉弁嵌め込み用開口を設け、該２つの開閉弁嵌め込み用開口にそれぞれ前方から開閉弁を嵌め込み、一方の開閉弁により混合水栓本体に設けた蛇口用吐水部からの吐水、吐水停止、及び吐水流量調整を行い、また、他方の開閉弁によりシャワー用吐水部からの吐水、吐水停止、及び吐水流量調整を行うようになっている。
【０００４】
ところが、この従来例においては、１つの混合水栓本体に固定的に蛇口用吐水部とシャワー用吐水部とを設けてあるので、蛇口用吐水部からの吐水を制御する開閉弁の操作部、シャワー用吐水部からの吐水を制御する開閉弁の操作部の、混合水栓本体の前面における位置は一定である。したがって、水栓装置の設置場所、あるいは使用者の使い勝手に応じて蛇口用吐水部からの吐水を制御する開閉弁の操作部、シャワー用吐水部からの吐水を制御する開閉弁の操作部の位置を入れ替えることはできず、使い勝手の上で問題が生じる場合があった。
【特許文献１】特開２００５−１１３６４４号公報
【発明の開示】
【発明が解決しようとする課題】
【０００５】
本発明は上記の従来の問題点に鑑みて発明したものであって、現場の状況や、需要者の使い勝手に応じて、シャワー用の水栓ユニットと蛇口用の水栓ユニットの位置を入れ替えて取付け金具に並設して取付けることができる水栓装置を提供することを課題とするものである。
【課題を解決するための手段】
【０００６】
上記課題を解決するために本発明に係る水栓装置は、取付け金具７に蛇口用の水栓ユニット６ａとシャワー用の水栓ユニット６ｂとを並設して取付け、並設する２つの水栓ユニット６ａ、６ｂの位置を入れ替え自在として成ることを特徴とするものである。
【０００７】
このような構成とすることで、現場の状況や、需要者の使い勝手に応じて蛇口用の水栓ユニット６ａとシャワー用の水栓ユニット６ｂの位置を入れ替えて取付け金具７に並設して取付けることができる．
また、取付け金具７に蛇口用の水栓ユニット６ａとシャワー用の水栓ユニット６ｂとを並設すると共に更に取付け金具７に、並設した２つの水栓ユニット６ａ、６ｂの端部に並設するように湯温調整ユニット３を取付けることが好ましい。
【０００８】
このような構成とすることで、湯温調整ユニット３と蛇口用の水栓ユニット６ａとシャワー用の水栓ユニット６ｂとを取付け金具７に一列に並設して取付けることができ、また、湯温調整ユニット３と蛇口用の水栓ユニット６ａとシャワー用の水栓ユニット６ｂとを取付け金具７に一列に並設するに当って、蛇口用の水栓ユニット６ａとシャワー用の水栓ユニット６ｂの位置を入れ替えて並設することができる。
【０００９】
また、取付け金具７に水供給用接続部１０と湯供給用接続部１１と湯温調整ユニット取付け部１２と２つの水栓ユニット取付け部１３ａ、１３ｂとを設け、湯温調整ユニット３に被取付け部１４を設けると共に、湯温調整ユニット３の湯温調整装置２よりも上流側に水流入用接続部１６と湯流入用接続部１７とを設け、且つ湯温調整装置２よりも下流側に混合された湯水の出口部１８を設け、該出口部１８に一端部を着脱自在に接続する接続管２１の下流側を分岐して２つの接続部３１ａ、３１ｂを設け、蛇口用の水栓ユニット６ａに入口部１９ａと蛇口用の吐水部２０ａと被取付け部１５ａを設け、シャワー用の水栓ユニット６ｂに入口部１９ｂとシャワー用の吐水部２０ｂと被取付け部１５ｂを設け、取付け金具７の水供給用接続部１０と湯供給用接続部１１とにそれぞれ湯温調整ユニット３の水流入用接続部１６と湯流入用接続部１７とを接続すると共に、湯温調整ユニット取付け部１２に湯温調整ユニット３の被取付け部１４を取付け、上記２つの水栓ユニット取付け部１３ａ、１３ｂにそれぞれ蛇口用の水栓ユニット６ａの被取付け部１５ａとシャワー用の水栓ユニット６ｂの被取付け部１５ｂとを取付け位置を入れ替え自在に取付け、上記接続管２１の下流側に設けた２つの接続部３１ａ、３１ｂに、上記蛇口用の水栓ユニット６ａの入口部１９ａとシャワー用の水栓ユニット６ｂの入口部１９ｂを入れ替え自在に接続することが好ましい。
【００１０】
このような構成とすることで、水供給用接続部１０に水流入用接続部１６を接続すると共に湯供給用接続部１１に湯流入用接続部１７を接続し、湯温調整ユニット取付け部１２に湯温調整ユニット３の被取付け部１４を取付けることで、簡単に湯温調整ユニット３を取付け金具７に取付けることができる。また、２つの水栓ユニット取付け部１３ａ、１３ｂにそれぞれ蛇口用の水栓ユニット６ａの被取付け部１５ａとシャワー用の水栓ユニット６ｂの被取付け部１５ｂとを取付け位置を入れ替え自在に取付け、接続管２１の下流側に設けた２つの接続部３１ａ、３１ｂに、上記蛇口用の水栓ユニット６ａの入口部１９ａとシャワー用の水栓ユニット６ｂの入口部１９ｂとを入れ替え自在に接続することで、簡単に蛇口用の水栓ユニット６ａとシャワー用の水栓ユニット６ｂとを個別に独立して取付けることができると共に、簡単に蛇口用の水栓ユニット６ａとシャワー用の水栓ユニット６ｂとの位置を入れ替えて並設することができる。
【発明の効果】
【００１１】
本発明の請求項１記載の発明は、上記のように構成したので、取付け金具に蛇口用の水栓ユニットとシャワー用の水栓ユニットとを並設して取付け、並設する２つの水栓ユニットの位置を入れ替え自在としてあるので、現場の状況や、需要者の使い勝手に応じて蛇口用の水栓ユニットとシャワー用の水栓ユニットの位置を入れ替えて取付け金具に並設して取付けることができ、使い勝手が良くなる。
【００１２】
また請求項２記載の発明は、湯温調整ユニットを備えたものにおいて、蛇口用の水栓ユニットとシャワー用の水栓ユニットの位置を入れ替えて取付け金具に並設して取付けることができ、使い勝手が良くなる。
【００１３】
また、請求項３記載の発明は、取付け金具に湯温調整ユニット、蛇口用の水栓ユニット、シャワー用の水栓ユニットを簡単な構成で並設して取付けることができると共に、簡単な構成で取付け金具に蛇口用の水栓ユニットとシャワー用の水栓ユニットの位置を入れ替えることができる。
【発明を実施するための最良の形態】
【００１４】
以下、本発明を添付図面に示す実施形態に基いて説明する。
【００１５】
本発明の水栓装置Ａは、図１に示すように取付け金具７と、該取付け金具７に取付ける湯温調整ユニット３と、蛇口用の水栓ユニット６ａ、シャワー用水栓ユニット６ｂと、これらを覆うカバー２２とで構成してある。
【００１６】
前記取付け金具７は、前片２３の左右両端部から後方に向けて側片２４を一体に連出したものである。両側片２４の後端部には固定部２６が設けてあり、この固定部２６を壁２５やカウンター４１等の取付け基体に対して固定するようになっている。
【００１７】
また、前記前片２３には配管の端部の接続部分を嵌め込むための複数の孔２７が設けてあり、各孔２７から水供給用配管２８の先端部に設けられた水供給用接続部１０、湯供給用配管２９の先端部に設けられた湯供給用接続部１１、接続管２１の上流側端部に設けた１つの接続部３０及び下流側に分岐して設けた２つの接続部３１ａ、３１ｂが、前方に向けて突出するように設置されるようになっている。
【００１８】
また、前片２３には湯温調整ユニット取付け部１２と、２つの水栓ユニット取付け部１３ａ、１３ｂとが設けてある。
【００１９】
ここで、第１接続部３１ａと一方の第１水栓ユニット取付け部１３ａとが一組となり、第２接続部３１ｂと第２水栓ユニット取付け部１３ｂとが他の一組となっている。また、第１接続部３１ａと一方の第１水栓ユニット取付け部１３ａの間の距離、第２接続部３１ｂと第２水栓ユニット取付け部１３ｂとの間の距離は等しくなっている。
【００２０】
更に、前片２３と両側片２４にはカバー取付け部３４が設けてある。
【００２１】
前記湯温調整ユニット３は、軸方向の一側端が閉塞し且つ軸方向の他側端が開口した第１シリンダ１内に湯温調整装置２を挿入し、且つ、第１シリンダ１の軸方向の一側端部の外側に、湯温調整装置２を操作する第３操作部９を突出させて構成してある。
【００２２】
湯温調整ユニット３の第１シリンダ１には、上記取付け金具７に設けた湯温調整ユニット取付け部１２に着脱自在に取付けるための被取付け部１４が設けてある。また、この第１シリンダ１の後部には、湯温調整装置２よりも上流側となる水流入用接続部１６と湯流入用接続部１７とが後方に向けて突設してあり、更に、湯温調整装置２よりも下流側に、混合された湯水の出口部１８が後方に向けて突設してある。
【００２３】
蛇口用の水栓ユニット６ａは、軸方向の一端部が開口し且つ他端部が閉塞した第２シリンダ４ａ内に一端の開口から開閉弁５ａを挿入し、且つ、第２シリンダ４ａの軸方向の一端部の外側に開閉弁５ａの第１操作部８ａを突出させて構成してあり、更に、蛇口用の水栓ユニット６ａには、上記取付け金具７に設けた２つの水栓ユニット取付け部１３ａ、１３ｂのいずれかに選択して着脱自在に取付けるための被取付け部１５ａが設けてある。また、この第２シリンダ４ａの後部には開閉弁５ａよりも上流側となる湯水の入口部１９ａが設けてあり、更に、開閉弁５ａよりも下流側に相当する第２シリンダ４ａの背面部又は下面部の部位に、開閉弁５ａの下流側に連通する蛇口用の吐水部２０ａが設けてある。
【００２４】
シャワー用の水栓ユニット６ｂは、軸方向の一端部が開口し且つ他端部が閉塞した第３シリンダ４ｂ内に、一端の開口から開閉弁５ｂを挿入し、且つ、第３シリンダ４ｂの軸方向の一端部の外側に開閉弁５ｂの操作部８ｂを突出させて構成してあり、更に、シャワー用の水栓ユニット６ｂには、上記取付け金具７に設けた２つの水栓ユニット取付け部１３ａ、１３ｂのいずれかに選択して着脱自在に取付けるための被取付け部１５ｂが設けてある。また、この第３シリンダ４ｂの後部には、開閉弁５ｂよりも上流側となる湯水の入口部１９ｂが設けてあり、更に、開閉弁５ｂよりも下流側に相当する第３シリンダ４ｂの背面部又は下面部の部位に、開閉弁５ｂの下流側に連通するシャワー用の吐水部２０ｂが設けてある。
【００２５】
上記の構成の湯温調整ユニット３と、この湯温調整ユニット３とはそれぞれ別体の蛇口用の水栓ユニット６ａ、シャワー用の水栓ユニット６ｂは、上記取付け金具７の前片２３の前面側にそれぞれ独立して着脱自在に取付ける。
【００２６】
すなわち、湯温調整ユニット３は、取付け金具７の水供給用接続部１０と湯供給用接続部１１とに、それぞれ湯温調整ユニット３の水流入用接続部１６と湯流入用接続部１７とを着脱自在に接続すると共に、図１のように、湯温調整ユニット取付け部１２に湯温調整ユニット３の被取付け部１４をねじ具のような固着具３５で着脱自在に取付ける。また、接続管２１の上流側端部の接続部３０に、湯温調整ユニット３の出口部１８を着脱自在に接続する。
【００２７】
また、蛇口用の水栓ユニット６ａは、図１に示すように、取付け金具７の左右に並んだ２つの水栓ユニット取付け部１３ａ、１３ｂのうち、一方（図１においては左側）の水栓ユニット取付け部１３ａに、被取付け部１５ａをねじ具のような固着具３５で着脱自在に取付ける。また、接続管２１の下流側に分岐した２つの接続部３１ａ、３１ｂのうち、一方（図１においては左側）の第１接続部３１ａに蛇口用の水栓ユニット６ａの入口部１９ａを着脱自在に接続する。
【００２８】
また、シャワー用の水栓ユニット６ｂは、図１に示すように、取付け金具７の左右に並んだ２つの水栓ユニット取付け部１３ａ、１３ｂのうち、他方（図１においては右側）の水栓ユニット取付け部１３ｂに被取付け部１５ｂをねじ具のような固着具３５で着脱自在に取付ける。また、接続管２１の下流側に分岐した２つの接続部３１ａ、３１ｂのうち他方（図１においては右側）の第２接続部３１ｂに、シャワー用の水栓ユニット６ｂの入口部１９ｂを着脱自在に接続する。また、シャワー用の水栓ユニット６ｂのシャワー用の吐水部２０ｂに、シャワーホース（図示せず）の後端部を接続する。
【００２９】
このように取付け金具７の前面に湯温調整ユニット３と、この湯温調整ユニット３とは別体の水栓ユニット６とをそれぞれ独立して着脱自在に取付けるのであるが、湯温調整ユニット３と水栓ユニット６とは各ユニットのシリンダ１、４の軸芯が略一致するように、一列に並設した状態で取付け金具７の前側に取付けるものであり、また、並設した各ユニットは、それぞれ固着具３５を外すことで独立して前方に取り外すことが可能となっている。
【００３０】
取付け金具７に各ユニット３、６を固着具３５を用いて着脱自在に取付けたり、取り外したりする操作は、取付け金具７の前片２３の前方において下方から治具を操作することで固着具３５による着脱操作ができるように構成してある。
【００３１】
上記のように、取付け金具７の前面側に湯温調整ユニット３と、この湯温調整ユニット３とは別体の水栓ユニット６ａ、６ｂとを軸方向に並設して取付けた後、これらをカバー２２で覆って水栓装置Ａを組み立て構成する。
【００３２】
上記カバー２２は、形成される水栓装置Ａの外郭を構成するもので、下後カバー３７と、下前カバー３８と、上カバー３９とで構成してある。
【００３３】
上記下後カバー３７と、下前カバー３８と、上カバー３９には、それぞれ被取付け部４０が設けてあって、下後カバー３７と、下前カバー３８と、上カバー３９の各被取付け部４０をそれぞれ取付け金具７のカバー取付け部３４に固着具３５を用いて着脱自在に取付けるようになっている。
【００３４】
ここで、下後カバー３７、下前カバー３８は下方から固着具３５を操作して取付けるようになっており、固着具３５が下後カバー３７、下前カバー３８の下面に位置するので、水栓装置Ａの使用側である正面側から下後カバー３７、下前カバー３８を取付ける固着具３５が見えないようになっている。
【００３５】
上カバー３９は上方から固着具３５を操作して取付けるようになっていて、固着具３５の頭部が上カバー３９の上面部の後部に存在することになるが、取付け金具７を壁２５に取付けた場合、壁２５から前方に突出して取付けたカウンター４１の下面部に、上カバー３９の後部が重なるように取付けられるため、上記上カバー３９の固着具３５は、水栓装置Ａの使用側の正面側から見ると、カウンター４１に隠れて見えないようになっている。
【００３６】
添付図面に示す実施形態においては、湯温調整装置２の第３操作部９、２個の開閉弁５ａ、５ｂの各操作部８ａ、８ｂには、いずれもシリンダ１、４、４ａの軸芯を中心に回動する回動部４４、４５ａ，４５ｂから前方に各操作板４６、４７ａ、４７ｂを突設したもので、湯温調整装置２の第３操作部９の前方に突出した第３操作板４６、上カバー３９の前部に設けた板状をしたダミー操作部４８、一方の開閉弁５ａの第１操作部８ａの前方に突出した第１操作板４７ａ、他方の開閉弁５ｂの第２操作部８ｂの前方に突出した第２操作板４７ｂが、カウンター４１の下面側の前端から前方に突出し、上記第３操作板４６、２つの操作板４７ａ、４７ｂが、それぞれカウンター４１の前方において、シリンダ１、４ａ、４ｂの軸芯を中心に回動操作自在となっている。
【００３７】
つまり、第３操作部９の第３操作板４６を操作することで、水流入用接続部１６、湯流入用接続部１７から湯温調整ユニット３内に流入する水と湯との混合割合を湯温調整装置２で調整して、湯温調整を行うことができるようになっている。
【００３８】
湯温調整ユニット３の湯温調整装置２で湯水の混合が調整された湯温調整済の湯水は、接続管２１を経て蛇口用の水栓ユニット６ａ、シャワー用の水栓ユニット６ｂの各シリンダ４ａ、４ｂ内に供給される。
【００３９】
そして、蛇口用の水栓ユニット６ａの開閉弁５ａの第１操作部８ａの第１操作板４７ａを回動操作することで、該開閉弁５ａの開閉及び開度合いの調整（吐水量の調整）を行い、蛇口用の吐水部２０ａからの湯水の吐水又は吐水停止、吐水時の吐水量の調整を行う。
【００４０】
また、シャワー用の水栓ユニット６ｂの開閉弁５ｂの第２操作部８ｂの第２操作板４７ｂを回動操作することで、該開閉弁５ｂの開閉及び開度合いの調整（吐水量の調整）を行い、シャワーホースに設けたシャワーヘッドからの湯水の吐水又は吐水停止、吐水時の吐水量の調整を行う。
【００４１】
上記のような構成の水栓装置Ａにおいて、本発明においては、現場の状況や利用者の使い勝手に応じて、蛇口用の水栓ユニット６ａとシャワー用の水栓ユニット６ｂとの位置を入れ替えて並設することができるようになっている。
【００４２】
すなわち、図１乃至図４に示す実施形態においては、湯温調整ユニット３、蛇口用の水栓ユニット６ａ、シャワー用の水栓ユニット６ｂを、各シリンダ１、４ａ、４ｂの軸芯がほぼ一致するように並設して取付け金具７に取付けるに当たって、湯温調整ユニット３の軸方向の右側端部に蛇口用の水栓ユニット６ａの軸方向の左側端部が隣接し、蛇口用の水栓ユニット６ａの軸方向の右側端部にシャワー用の水栓ユニット６ｂの軸方向の左側端部が隣接するように並設して取付け金具７に取付けた例を示したが、図５乃至図８のように、湯温調整ユニット３の軸方向の右側端部にシャワー用の水栓ユニット６ｂの軸方向の左側端部が隣接し、シャワー用の水栓ユニット６ｂの軸方向の右側端部に蛇口用の水栓ユニット６ａの軸方向の左側端部が隣接するように並設して取付け金具７に取付けてもよい。
【００４３】
この場合、シャワー用の水栓ユニット６ｂを、図５に示すように、取付け金具７の左右に並んだ２つの水栓ユニット取付け部１３ａ、１３ｂのうち一方（図５においては左側）の水栓ユニット取付け部１３ａに、被取付け部１５ｂをねじ具のような固着具３５で着脱自在に取付ける。また、接続管２１の下流側に分岐した２つの接続部３１ａ、３１ｂのうち、一方（図５においては左側）の第１接続部３１ａにシャワー用の水栓ユニット６ｂの入口部１９ｂを着脱自在に接続する。また、シャワー用の水栓ユニット６ｂのシャワー用の吐水部２０ｂに、シャワーホース（図示せず）の後端部を接続する。
【００４４】
また、蛇口用の水栓ユニット６ａは、図５に示すように、取付け金具７の左右に並んだ２つの水栓ユニット取付け部１３ａ、１３ｂのうち他方（図５においては右側）の水栓ユニット取付け部１３ｂに、被取付け部１５ａをねじ具のような固着具３５で着脱自在に取付ける。また、接続管２１の下流側に分岐した２つの接続部３１ａ、３１ｂのうち他方（図５においては右側）の第２接続部３１ｂに、蛇口用の水栓ユニット６ａの入口部１９ａを着脱自在に接続する。
【００４５】
このように、蛇口用の水栓ユニット６ａとシャワー用の水栓ユニット６ｂとの並設位置を入れ替えることで、現場の状況や利用者の使い勝手に応じて、蛇口用の水栓ユニット６ａの蛇口用の吐水部２０ａと、シャワー用の吐水部２０ｂを左右方向に位置を入れ替え、また、蛇口用の水栓ユニット６ａの第１操作板４７ａ、シャワー用の水栓ユニット６ｂの第２操作板４７ｂを、左右方向に位置を入れ替えることができる。
【００４６】
また、上記のように湯温調整ユニット３、蛇口用の水栓ユニット６ａ、シャワー用の水栓ユニット６ｂを、各シリンダ１、４ａ、４ｂの軸芯がほぼ一致するように並設して取付け金具７に取付けた本発明の水栓装置Ａにおいて、湯温調整ユニット３、蛇口用の水栓ユニット６ａ、シャワー用の水栓ユニット６ｂのうちいずれかのユニットを保守、点検する場合、３つのユニットが個別に独立して取付け金具７に着脱自在に取付けてあるので、３つのユニットのうち、該当しないユニットは取付け金具７に取付けたままの状態で、保守、点検が必要なユニットのみを取り外して保守、点検ができる。
【００４７】
なお、上記実施形態においては、湯温調整ユニット３、蛇口用の水栓ユニット６ａ、シャワー用の水栓ユニット６ｂを各シリンダ１、４ａ、４ｂの軸芯がほぼ一致するように並設して取付け金具７に取付けた本発明の水栓装置Ａの例を説明したが、取付け金具７に湯温調整ユニット３を取付けることなく、蛇口用の水栓ユニット６ａ、シャワー用の水栓ユニット６ｂのみを取付けて水栓装置Ａを構成するものであってもよく、この場合、取付け金具７に蛇口用の水栓ユニット６ａとシャワー用の水栓ユニット６ｂを各シリンダ４ａ、４ｂの軸芯がほぼ一致するように並設して取付ける。この例の場合も、前述の実施形態と同様に並設する２つの水栓ユニット６ａ、６ｂの位置を入れ替え自在とする。
【図面の簡単な説明】
【００４８】
【図１】本発明の水栓装置の一部破断した平面図である。
【図２】同上の一部破断した正面図である。
【図３】同上の正面側から見た斜視図である。
【図４】同上の背面側から見た斜視図である。
【図５】本発明の水栓装置において蛇口用の水栓ユニット、シャワー用の水栓ユニットの位置を入れ替えて並設した例の一部破断した平面図である。
【図６】同上の一部破断した正面図である。
【図７】同上の正面側から見た斜視図である。
【図８】同上の背面側から見た斜視図である。
【符号の説明】
【００４９】
３  湯温調整ユニット
６ａ  蛇口用の水栓ユニット
６ｂ  シャワー用の水栓ユニット
７  取付け金具
１０  水供給用接続部
１１  湯供給用接続部
１２  湯温調整ユニット取付け部
１３ａ  水栓ユニット取付け部
１３ｂ  水栓ユニット取付け部
１４  被取付け部
１５ａ  被取付け部
１５ｂ  被取付け部
１６  水流入用接続部
１７  湯流入用接続部
１８  出口部
１９ａ  入口部
１９ｂ  入口部
２０ａ  蛇口用の吐水部
２０ｂ  シャワー用の吐水部
２１  接続管
３１ａ  第１接続部
３１ｂ  第２接続部
【図１】
2010007292.tif 000003
【図２】
2010007292.tif 000004
【図３】
2010007292.tif 000005
【図４】
2010007292.tif 000006
【図５】
2010007292.tif 000007
【図６】
2010007292.tif 000008
【図７】
2010007292.tif 000009
【図８】
2010007292.tif 000010